(57)【要約】【課題】  横断面四角形状の第１周壁を起立する容器本体の後壁部上端へ頂板後端をヒンジ連結し、頂板下面へ嵌合部を付設して形成した第１蓋体を、その嵌合部を第１周壁上端部内へ着脱自在に嵌合させるよう設けた容器において、その下端に第２蓋体付きの第２収納室を付設した。【解決手段】  上記容器本体第１周壁の一部を下方へ延長して起立第２底板７とし、該第２底板両側と下縁とから突出させた第１三方等壁部８と容器本体の第１底板２とで第２周壁９を形成して、該第２周壁と第２底板７とで第２収納室10を形成し、該第２収納室開口面を、第１三方等壁部８一部へヒンジ連結させた第２蓋体21で開閉自在に閉塞した。【選択図】  図２
2005187037.tif 000002
【特許請求の範囲】
【請求項１】
有底の第１周壁を有し、開口面を第１蓋体で開閉自在に閉塞する錠剤等取出し容器において、
上記第１周壁３の一部壁を下方へ延長して第２底板７となし、該第２底板７の両側と下縁とから突出させた第１三方等壁部８と第１底板２とが形成する第２周壁９と第２底板７とで、第２収納室10を形成して、該第２収納室開口面を、第１三方等壁部８一部へヒンジ連結した第２蓋体21で開閉自在に閉塞した
ことを特徴とする錠剤等取出し容器。
【請求項２】
上記第２蓋体21を、第１三方等壁部８の先端面を閉塞する閉塞壁板22の両側および下縁から第１三方等壁部８外面へ覆合させる第２三方等壁部23を突出させて形成すると共に、該第２三方等壁部23の下板部24先端部を第１三方等壁部８の下板11の基部外面へ肉薄ヒンジ25を介して付設した
ことを特徴とする請求項１記載の錠剤等取出し容器。
【請求項３】
上記第２蓋体21に第２収納室10内収納品覗見用の窓孔29を穿設した
ことを特徴とする請求項１、又は２記載の錠剤等取出し容器。
【請求項４】
上記第１周壁３外面へラベル12を貼着させて、該ラベル一部を破断用線13を介し延長させて、該ラベル延長部14を第２蓋体21外面へ貼着させた
ことを特徴とする、請求項１、２又は３記載の錠剤等取出し容器。
【請求項５】
上記第２蓋体21の上端縁から破断用連結子30ないし破断用線を介して重ね板31を起立し、該重ね板31を、第１周壁３の一部壁部外面へ重ねた状態で該重ね板外面と共に該重ね板外方の第１周壁外面部分へラベル12を貼着させた
ことを特徴とする、請求項１、２又は３記載の錠剤等取出し容器。
【発明の詳細な説明】
【技術分野】
【０００１】
本発明は錠剤等取出し容器に関する。
【背景技術】
【０００２】
左右方向巾狭の底板外周から横断面長方形状の周壁を起立する容器本体と、上記周壁の後壁部上端へ頂板後縁をヒンジ連結させ、該頂板から垂下させた嵌合部を上記周壁の上部内へ着脱自在に嵌合させた蓋体とからなり、蓋体前端部押上げによる上記ヒンジを中心とする回動で収納物取出し孔が開口可能とした錠剤等取出し容器が知られている（特許文献１）。
【特許文献１】特開平１１−１０００８１号公報
【発明の開示】
【発明が解決しようとする課題】
【０００３】
主として子供向けの錠剤形菓子収納容器として上記容器を用いたものが知られているが、子供向け菓子容器には景品を付けることがよく行われている。
【０００４】
本発明は上記容器に景品等収納の補助室を容器と共に一体成形することが容易としたものである。
【０００５】
第１の手段として有底の第１周壁を有し、開口面を第１蓋体で開閉自在に閉塞する錠剤等取出し容器において、
上記第１周壁３の一部壁を下方へ延長して第２底板７となし、該第２底板７の両側と下縁とから突出させた第１三方等壁部８と第１底板２とが形成する第２周壁９と第２底板７とで、第２収納室10を形成して、該第２収納室開口面を、第１三方等壁部８一部へヒンジ連結した第２蓋体21で開閉自在に閉塞した。
【０００６】
第２の手段として、上記第１の手段を有すると共に上記第２蓋体21を、第１三方等壁部８の先端面を閉塞する閉塞壁板22の両側および下縁から第１三方等壁部８外面へ覆合させる第２三方等壁部23を突出させて形成すると共に、該第２三方等壁部23の下板部24先端部を第１三方等壁部８の下板11の基部外面へ肉薄ヒンジ25を介して付設した。
【０００７】
第３の手段として、上記第２の手段を有すると共に上記第２蓋体21に第２収納室10内収納品覗見用の窓孔29を穿設した。
【０００８】
第４の手段として、上記第１、第２、又は第３の手段を有すると共に上記第１周壁３外面へラベル12を貼着させて、該ラベル一部を破断用線13を介し延長させて、該ラベル延長部14を第２蓋体21外面へ貼着させた。
【０００９】
第５の手段として、上記第１、第２、又は第３の手段を有すると共に上記第２蓋体21の上端縁から破断用連結子30ないし破断用線を介して重ね板31を起立し、該重ね板31を、第１周壁３の一部壁部外面へ重ねた状態で該重ね板外面と共に該重ね板外方の第１周壁外面部分へラベル12を貼着させた。
【発明の効果】
【００１０】
請求項１記載のようにすることで、容器本体４と第１蓋体５と第２収納室10と第２蓋体21とを一体成形させることが容易であり、又第２蓋体21の開閉も容易となる。
【００１１】
請求項２のようにすることで、第２収納室10に対する第２蓋体21の嵌合を確実かつ容易とすることが出来る。
【００１２】
請求項３のようにすることで、第２収納室内収納物の一部を目視できるから、その目視部分からの想像で収納物に対する興味を高めることが出来る。
【００１３】
請求項４のようにすることで、第２蓋体21へ貼着させたラベル延長部14に開蓋防止機能を持たせることが出来る。
【００１４】
請求項５のようにすることで、第２蓋体開蓋の際は重ね板下端の破断用突子30等を破断することが必要となり、請求項４の場合と同様重ね板31に開蓋防止機能を持たせることが出来る。
【発明を実施するための最良の形態】
【００１５】
以下図１から図４が示す第１実施形態について説明すると、１は既述従来の錠剤等取出し容器であり、公知であるため簡単に説明すると、前後方向へ長く設けた長方形状の第１底板２外周から巾狭に設けた前後両壁と巾広に設けた左右両側壁とからなる第１周壁３を起立する容器本体４と、上記後壁上端へ頂板後縁をヒンジ連結させ、かつ頂板下面へ嵌合部を付設して第１蓋体５となし、その嵌合部を第１周壁上部内へ着脱自在に嵌合させ、第１周壁３の前方上部は切欠き６して該切欠きから露出する第１蓋体部分5aの上方押上げで錠剤等取出し孔が露出して取出し可能とされている。その取出し孔は側壁上方の前部へ穿設する場合もあり、又嵌合部の前方側面へ開孔する場合もあり、どのように設けてもよい。
【００１６】
図示例にあっては側壁の一方を第１底板２下方へ延長させて第２底板７とし、該第２底板７の両側と下縁とから第１三方等壁部８を突出させ、該第１三方等壁部８と第１底板２とで第２周壁９を形成させ、これ等第２周壁９と第２底板７とで横向きの第２収納室10を形成している。第１三方等壁部８の突出長さは第１底板２の突出長さよりやや短く設けている。三方等壁部とは上記第２底板の両側と下方との三方のほか、半円状の弯曲壁、又Ｖ字状壁を含むものとする。
【００１７】
21は上記第２収納室の開口面を開閉する第２蓋体で、上記第１三方等壁部８先端よりも長く設けた第１底板２の突出部分2a下面へ上端面を接して第１三方等壁部８の開口面を閉塞する閉塞壁板22の両側および下縁から、第１三方等壁部８外面へ覆合させる第２三方等壁部23を突出させ、又該第２三方等壁部23の下板部24先端部を、第１三方等壁部８の下板部24の基部外面へ肉薄ヒンジ25を介して付設している。それ等第１三方等壁部８の側壁基部外面と第２三方等壁部23の側壁先端部内面とにはそれぞれ係合突条26を付設して第２蓋体21嵌合時に、それ等が互いに係合するよう設けている。又第２三方等壁部23の両側壁27内方側からはそれ等両側壁とほぼ平行に内壁28を突出させ、上記嵌合時に第１三方等壁部の両側壁27の内外面を第２三方等壁部の両側壁と内壁28とが挟持するよう設けている。更に閉塞壁板22一部には第２収納室10内への収納品覗見用の窓孔29を穿設している。
【００１８】
図１が示すように、第２蓋体21閉塞は、第２蓋体21の一部へは、第１周壁３外面へ貼着させたラベル12一部を破断用線13、例えばミシン目を介して延長させ、該延長部14を第２蓋体の外面上部へ貼着させる。該延長部14は第２蓋体21開蓋時図２のように上記破断用線13を破断することとなるから、その延長部14はバージン機能を有することとなる。尚延長部には目印としてのハートマークを付設している。
【００１９】
図５は図１の変形例を示すもので、図１の場合は第１周壁３の前壁3aへ貼着させたラベル部分を下方へ延長させて該延長部14を第２蓋体21の側壁上部外面へ貼着させているが、図５では第１周壁３の側壁および前壁3aへのラベル貼着部分を共に破断用線13を介し延長垂下させて、その延長部14を第２蓋体の閉塞壁板22上部および側壁上部へ貼着させている。
【００２０】
図６、図７は第２実施形態を示すもので、第２蓋体21の閉塞壁板22上端縁から複数の破断用連結子30を介して重ね板31を上方突出させておき、又上記閉塞壁板22上方の第１周壁３側板下方部分外面へ凹部32を設けて、第２蓋体21閉塞時にその凹部内へ重ね板31を嵌合させ、該嵌合状態で既述ラベル12を、重ね板31外面と共に該重ね板外方の第１周壁３外面部分へ貼着している。この場合は第２蓋体21開蓋の際、上記連結子30等を破断して行うこととなる。その他部分は第１実施形態と同じであり、よって同一符号を付することで説明を省略する。
【００２１】
尚既述容器はラベル12を除き、合成樹脂材で一体成形したものである。
【図面の簡単な説明】
【００２２】
【図１】本発明容器の斜視図である。
【図２】図１容器の第２蓋体を開蓋させた状態で斜視図である。
【図３】図１要部の縦断面図である。
【図４】図１要部の横断面図である。
【図５】図１容器の変形例を示す斜視図である。
【図６】第２実施形態を、第２蓋体開蓋状態で示す斜視図である。
【図７】図６第２蓋体を閉蓋し、ラベルを貼着した状態で示す斜視図である。
【符号の説明】
【００２３】
１  容器                            ２  第１底板
４  容器本体                        ５  第１蓋体
８  第１三方等壁部                  ９  第２周壁
10  第２収納室                      11  下板
12  ラベル                          13  破断用線
21  第２蓋体                        22  閉塞壁板
23  第２三方等壁部                  24  下板部
25  肉薄ヒンジ                      27  両側壁
29  窓孔                            31  重ね板
【図１】
2005187037.tif 000003
【図２】
2005187037.tif 000004
【図３】
2005187037.tif 000005
【図４】
2005187037.tif 000006
【図５】
2005187037.tif 000007
【図６】
2005187037.tif 000008
【図７】
2005187037.tif 000009